【手続補正書】
【提出日】平成28年1月21日(2016.1.21)
【手続補正１】
【補正対象書類名】明細書
【補正対象項目名】発明の名称
【補正方法】変更
【補正の内容】
【発明の名称】画像形成システム及び巻き出し残量導出方法
【手続補正２】
【補正対象書類名】明細書
【補正対象項目名】０００１
【補正方法】変更
【補正の内容】
【０００１】
本発明は、画像形成システム及び巻き出し残量導出方法に関する。
【手続補正３】
【補正対象書類名】明細書
【補正対象項目名】０００６
【補正方法】変更
【補正の内容】
【０００６】
本発明は、記録媒体がロール状に巻かれたロール状記録媒体への損傷を防ぎつつ前記記録媒体の巻き出し残量を導出可能な画像形成システム及び巻き出し残量導出方法を提供することを目的とする。
【手続補正４】
【補正対象書類名】明細書
【補正対象項目名】０００７
【補正方法】変更
【補正の内容】
【０００７】
上記目的を達成するため、本発明に係る画像形成システムは、画像形成用の記録媒体がロール状に巻かれたロール状記録媒体から前記記録媒体が巻き出される際に該巻き出しに伴って前記ロール状記録媒体が巻き芯部を軸にして回転するように前記ロール状記録媒体を保持する保持手段と、前記巻き芯部を中心に回転している前記ロール状記録媒体の単位時間当たりの回転数を検出する第１の検出手段と、前記ロール状記録媒体から巻き出されてくる前記記録媒体を互いの周面で順次挟持していくように回転する第１の一対のローラからなり、前記第１の一対のローラのうちの少なくとも一方のローラが前記ロール状記録媒体から前記記録媒体を巻き出すための駆動源として設けられている記録媒体巻き出し手段と、前記ロール状記録媒体から巻き出された前記記録媒体に周面が当接するように設けられ、前記記録媒体の搬送によって従動回転する従動ローラと、前記記録媒体の搬送によって従動回転している前記従動ローラの単位時間当たりの回転数を検出する第２の検出手段と、前記第１の検出手段により検出された前記ロール状記録媒体の単位時間当たりの回転数と前記第２の検出手段により検出された前記従動ローラの単位時間当たりの回転数とに基づいて前記記録媒体の巻き出し残量を導出する導出手段と、を備えたことを特徴とする。
また、上記目的を達成するため、本発明に係る巻き出し残量導出方法は、画像形成用の記録媒体がロール状に巻かれたロール状記録媒体から前記記録媒体が巻き出される際に該巻き出しに伴って前記ロール状記録媒体が巻き芯部を軸にして回転するように前記ロール状記録媒体を保持する保持ステップと、前記ロール状記録媒体から巻き出されてくる前記記録媒体を互いの周面で順次挟持していくように回転する第１の一対のローラからなり前記第１の一対のローラのうちの少なくとも一方のローラが前記ロール状記録媒体から前記記録媒体を巻き出すための駆動源として設けられている記録媒体巻き出し手段により、前記ロール状記録媒体から前記記録媒体を巻き出す巻き出しステップと、前記巻き芯部を中心に回転している前記ロール状記録媒体の単位時間当たりの回転数を検出する第１の検出ステップと、前記ロール状記録媒体から巻き出された前記記録媒体に周面が当接するように設けられ前記記録媒体の搬送によって従動回転している従動ローラの単位時間当たりの回転数を検出する第２の検出ステップと、前記第１の検出ステップで検出された前記ロール状記録媒体の単位時間当たりの回転数と前記第２の検出ステップで検出された前記従動ローラの単位時間当たりの回転数とに基づいて前記記録媒体の巻き出し残量を導出する導出ステップと、を有することを特徴とする。
【手続補正５】
【補正対象書類名】明細書
【補正対象項目名】０００８
【補正方法】変更
【補正の内容】
【０００８】
本発明によれば、記録媒体がロール状に巻かれたロール状記録媒体への損傷を防ぎつつ前記記録媒体の巻き出し残量を導出可能な画像形成システム及び巻き出し残量導出方法を提供することができる。
【手続補正６】
【補正対象書類名】特許請求の範囲
【補正対象項目名】全文
【補正方法】変更
【補正の内容】
【特許請求の範囲】
【請求項１】
画像形成用の記録媒体がロール状に巻かれたロール状記録媒体から前記記録媒体が巻き出される際に該巻き出しに伴って前記ロール状記録媒体が巻き芯部を軸にして回転するように前記ロール状記録媒体を保持する保持手段と、
前記巻き芯部を中心に回転している前記ロール状記録媒体の単位時間当たりの回転数を検出する第１の検出手段と、
前記ロール状記録媒体から巻き出されてくる前記記録媒体を互いの周面で順次挟持していくように回転する第１の一対のローラからなり、前記第１の一対のローラのうちの少なくとも一方のローラが前記ロール状記録媒体から前記記録媒体を巻き出すための駆動源として設けられている記録媒体巻き出し手段と、
前記ロール状記録媒体から巻き出された前記記録媒体に周面が当接するように設けられ、前記記録媒体の搬送によって従動回転する従動ローラと、
前記記録媒体の搬送によって従動回転している前記従動ローラの単位時間当たりの回転数を検出する第２の検出手段と、
前記第１の検出手段により検出された前記ロール状記録媒体の単位時間当たりの回転数と前記第２の検出手段により検出された前記従動ローラの単位時間当たりの回転数とに基づいて前記記録媒体の巻き出し残量を導出する導出手段と、
を備えたことを特徴とする画像形成システム。
【請求項２】
前記第１の一対のローラを通過した前記記録媒体を互いの周面で順次挟持していくように回転する第２の一対のローラからなり、前記第２の一対のローラのうちの少なくとも一方のローラが前記記録媒体を搬送するための駆動源として設けられている記録媒体搬送手段を備え、
前記従動ローラは、前記記録媒体の搬送経路における、前記第１の一対のローラにより前記記録媒体が挟持される位置よりも下流側、且つ、前記第２の一対のローラにより前記記録媒体が挟持される位置よりも上流側で、前記記録媒体に当接するように設けられていることを特徴とする請求項１に記載の画像形成システム。
【請求項３】
前記保持手段は、前記ロール状記録媒体における前記巻き芯部を中心にした回転と一体的に回転する回転部を有し、
前記第１の検出手段は、前記回転部での単位時間当たりの回転数を検出することにより前記ロール状記録媒体の単位時間当たりの回転数を検出することを特徴とする請求項１または２に記載の画像形成システム。
【請求項４】
画像形成用の記録媒体がロール状に巻かれたロール状記録媒体から前記記録媒体が巻き出される際に該巻き出しに伴って前記ロール状記録媒体が巻き芯部を軸にして回転するように前記ロール状記録媒体を保持する保持ステップと、
前記ロール状記録媒体から巻き出されてくる前記記録媒体を互いの周面で順次挟持していくように回転する第１の一対のローラからなり前記第１の一対のローラのうちの少なくとも一方のローラが前記ロール状記録媒体から前記記録媒体を巻き出すための駆動源として設けられている記録媒体巻き出し手段により、前記ロール状記録媒体から前記記録媒体を巻き出す巻き出しステップと、
前記巻き芯部を中心に回転している前記ロール状記録媒体の単位時間当たりの回転数を検出する第１の検出ステップと、
前記ロール状記録媒体から巻き出された前記記録媒体に周面が当接するように設けられ前記記録媒体の搬送によって従動回転している従動ローラの単位時間当たりの回転数を検出する第２の検出ステップと、
前記第１の検出ステップで検出された前記ロール状記録媒体の単位時間当たりの回転数と前記第２の検出ステップで検出された前記従動ローラの単位時間当たりの回転数とに基づいて前記記録媒体の巻き出し残量を導出する導出ステップと、
を有することを特徴とする巻き出し残量導出方法。